(57)【特許請求の範囲】
【請求項１】
現用パスと接続され、前記現用パスからのＯＴＵ信号を受信する第１の伝送装置と、前記現用パスと冗長化構成の予備パスと接続され、前記予備パスからのＯＴＵ信号を受信する第２の伝送装置と、前記第１の伝送装置及び前記第２の伝送装置と接続される通信装置とを有する伝送システムであって、
前記通信装置は、
前記第１の伝送装置から切替情報を検出した場合に、第１の切替通知情報を前記ＯＴＵ信号内のヘッダ情報に格納して前記第１の伝送装置に通知すると共に、第２の切替通知情報を前記ＯＴＵ信号内のヘッダ情報に格納して前記第２の伝送装置に通知し、
前記第１の伝送装置は、
前記現用パスから受信した前記ＯＴＵ信号を前記通信装置に出力する第１のレーザーと、
前記通信装置からの前記第１の切替通知情報に基づき、前記第１のレーザーをＯＦＦにして前記通信装置に対する前記ＯＴＵ信号の中継を停止する第１の制御部と
を有し、
前記第２の伝送装置は、
前記予備パスから受信した前記ＯＴＵ信号を前記通信装置に出力する第２のレーザーと、
前記通信装置からの前記第２の切替通知情報に基づき、前記第２のレーザーをＯＮにして前記通信装置に対する前記ＯＴＵ信号の中継を開始する第２の制御部と
を有する
ことを特徴とする伝送システム。
【請求項２】
前記現用パスと接続する対向側の第３の伝送装置と、
前記予備パスと接続する対向側の第４の伝送装置と、
前記第３の伝送装置及び前記第４の伝送装置と接続する対向側の通信装置と
を有し、
前記対向側の通信装置は、
前記第３の伝送装置から切替情報を検出した場合に、第３の切替通知情報を前記ＯＴＵ信号内のヘッダ情報に格納して前記第３の伝送装置に通知すると共に、第４の切替通知情報を前記ＯＴＵ信号内のヘッダ情報に格納して前記第４の伝送装置に通知し、
前記第３の伝送装置は、
前記現用パスから受信した前記ＯＴＵ信号を前記対向側の通信装置に出力する第３のレーザーと、
前記第３の切替通知情報に基づき、前記第３のレーザーをＯＦＦにして前記対向側の通信装置に対する前記ＯＴＵ信号の中継を停止する第３の制御部と
を有し、
前記第４の伝送装置は、
前記予備パスから受信した前記ＯＴＵ信号を前記対向側の通信装置に出力する第４のレーザーと、
前記第４の切替通知情報に基づき、前記第４のレーザーをＯＮにして前記対向側の通信装置に対する前記ＯＴＵ信号の中継を開始する第４の制御部と
を有する
ことを特徴とする請求項１に記載の伝送システム。
【請求項３】
現用パスと接続され、前記現用パスからの信号を受信する第１の伝送装置と接続されると共に、前記現用パスと冗長化構成の予備パスと接続され、前記予備パスからの信号を受信する第２の伝送装置と接続される通信装置であって、
前記第１の伝送装置から切替情報を検出した場合に、前記第１の伝送装置内の第１のレーザーをＯＦＦにすべく、前記現用パスから受信したＯＴＵ信号の当該通信装置に対する中継を停止する第１の切替通知情報を前記ＯＴＵ信号内のヘッダ情報に格納して前記第１の伝送装置に通知する第１の制御部と、
前記切替情報を検出した場合に、前記第２の伝送装置内の第２のレーザーをＯＮにすべく、前記予備パスから受信したＯＴＵ信号の当該通信装置に対する中継を開始する第２の切替通知情報を前記ＯＴＵ信号内のヘッダ情報に格納して前記第２の伝送装置に通知する第２の制御部と
を有することを特徴とする通信装置。
【請求項４】
現用パスと接続され、前記現用パスからのＯＴＵ信号を受信する第１の伝送装置と接続されると共に、前記現用パスと冗長化構成の予備パスと接続され、前記予備パスからのＯＴＵ信号を受信する第２の伝送装置と接続される通信装置が実行するパス切替方法であって、
前記通信装置が前記第１の伝送装置から切替情報を検出した場合に、前記現用パスから受信した前記ＯＴＵ信号の前記通信装置に対する中継を停止する第１の切替通知情報を前記ＯＴＵ信号内のヘッダ情報に格納して前記第１の伝送装置に通知し、
前記通信装置が前記切替情報を検出した場合に、前記予備パスから受信した前記ＯＴＵ信号の前記通信装置に対する中継を開始する第２の切替通知情報を前記第２の伝送装置に通知し、
前記第１の伝送装置が前記第１の切替通知情報を検出した場合に、前記第１の切替通知情報に基づき、前記第１の伝送装置内の第１のレーザーをＯＦＦにして前記通信装置に対する前記ＯＴＵ信号の中継を停止し、
前記第２の伝送装置が前記第２の切替通知情報を検出した場合に、前記第２の切替通知情報に基づき、前記第２の伝送装置内の第２のレーザーをＯＮにして前記通信装置に対する前記ＯＴＵ信号の中継を開始する
処理を実行することを特徴とするパス切替方法。
【発明の詳細な説明】
【技術分野】
【０００１】
本発明は、伝送システム、通信装置及びパス切替方法に関する。
【背景技術】
【０００２】
ＩＴＵ-Ｔ(International  Telecommunication  Union  Telecommunication  sector)及びＩＥＥＥ(Institute  of  Electrical  and  Electronic  Engineers)によって、ＯＴＮ(Optical  Transport  Network)の標準化が進められている。ＯＴＮは、波長分割多重(Wavelength  Division  Multiplexing)技術を適用した光ネットワークにおいて、種類の異なるクライアント信号をトランスペアレントに伝送できる技術である。
【０００３】
また、ＯＴＮの伝送システムでは、Ｙケーブルを用いて、パスを冗長化するプロテクション方式がある。図９は、伝送システム１００の一例を示す説明図である。図９に示す伝送システム１００は、第１１のＣＬ（Client）装置１０１Ａと、第１１の伝送装置１０２Ａと、第１２の伝送装置１０２Ｂと、第１の制御装置１０３Ａと、第１１の光分合波部１０４Ａとを有する。伝送システム１００は、第１２のＣＬ装置１０１Ｂと、第１３の伝送装置１０２Ｃと、第１４の伝送装置１０２Ｄと、第２の制御装置１０３Ｂと、第２の光分合波部１０４Ｂとを有する。第１１のＣＬ装置１０１Ａと第１２のＣＬ装置１０１Ｂとの間はＯＴＮ１０５のパス、例えば、プロテクション方式の現用パス１０５Ａ及び予備パス１０５Ｂで接続する。
【０００４】
第１１の伝送装置１０２Ａ、第１２の伝送装置１０２Ｂ及び第１の制御装置１０３Ａは、１台のネットワーク装置１１０Ａに実装されているものとする。また、第１３の伝送装置１０２Ｃ、第１４の伝送装置１０２Ｄ及び第２の制御装置１０３Ｂも、１台のネットワーク装置１１０Ｂに実装されているものとする。
【０００５】
第１１の伝送装置１０２Ａと第１３の伝送装置１０２Ｃとの間は現用パス１０５Ａ、第１２の伝送装置１０２Ｂと第１４の伝送装置１０２Ｄとの間は予備パス１０５Ｂで接続している。第１１の光分合波部１０４Ａは、第１１のＣＬ装置１０１Ａと、第１１の伝送装置１０２Ａと、第１２の伝送装置１０２Ｂとの間をＹケーブルで接続する。そして、第１１の光分合波部１０４Ａは、第１１のＣＬ装置１０１Ａからの光信号を第１１の伝送装置１０２Ａ及び第１２の伝送装置１０２Ｂに分岐出力する。また、第１１の光分合波部１０４Ａは、第１１の伝送装置１０２Ａ及び第１２の伝送装置１０２Ｂからの光信号を第１１のＣＬ装置１０１Ａに出力する。
【０００６】
第１２の光分合波部１０４Ｂは、第１２のＣＬ装置１０１Ｂと、第１３の伝送装置１０２Ｃと、第１４の伝送装置１０２ＤとをＹケーブルで接続し、第２のＣＬ装置１０１Ｂからの光信号を第１３の伝送装置１０２Ｃ及び第１４の伝送装置１０２Ｄに分岐出力する。また、第１２の光分合波部１０４Ｂは、第１３の伝送装置１０２Ｃ及び第１４の伝送装置１０２Ｄからの光信号を第１２のＣＬ装置１０１Ｂに出力する。
【０００７】
第１１の光分合波部１０４Ａは、第１１のＣＬ装置１０１Ａからの光信号を第１１の伝送装置１０２Ａ及び第１２の伝送装置１０２Ｂに分岐出力する。第１１の伝送装置１０２Ａは、第１１の光分合波部１０４Ａからの光信号を現用パス１０５Ａ経由で第１３の伝送装置１０２Ｃに出力する。また、第１２の伝送装置１０２Ｂも、第１１の光分合波部１０４Ａからの光信号を予備パス１０５Ｂ経由で第１４の伝送装置１０２Ｄに出力する。
【０００８】
第１３の伝送装置１０２Ｃは、現用パス１０５Ａが運用中の場合、第１２のＣＬ装置１０１Ｂに中継する際のレーザーをＯＮに設定しているため、現用パス１０５Ａ経由で受信した第１１の伝送装置１０２Ａからの光信号を第１２の光分合波部１０４Ｂに出力する。これに対して、第１４の伝送装置１０２Ｄは、予備パス１０５Ｂが待機中の場合、第１２のＣＬ装置１０１Ｂに中継する際のレーザーをＯＦＦに設定している。そのため、第１４の伝送装置１０２Ｄは、予備パス１０５Ｂ経由で受信した第１２の伝送装置１０２Ｂからの光信号を第１２の光分合波部１０４Ｂに出力しない。そして、第１２の光分合波部１０４Ｂは、第１３の伝送装置１０２Ｃで受信した第１１のＣＬ装置１０１Ａからの光信号を第１２のＣＬ装置１０１Ｂに出力する。
【０００９】
次に現用パス１０５Ａで障害が発生した場合の伝送システム１００の動作について説明する。第１３の伝送装置１０２Ｃは、現用パス１０５Ａのパス障害を検出した場合、パス障害を第２の制御装置１０３Ｂに通知する。第２の制御装置１０３Ｂは、第１３の伝送装置１０２Ｃからパス障害を検出した場合、第１３の伝送装置１０２Ｃに対して、第１２のＣＬ装置１０１Ｂに中継する際のレーザーをＯＦＦに設定する。更に、第２の制御装置１０３Ｂは、第１３の伝送装置１０２Ｃからパス障害を検出した場合、第１４の伝送装置１０２Ｄに対して、第１２のＣＬ装置１０１Ｂに中継する際のレーザーをＯＮに設定する。つまり、第２の制御装置１０３Ｂは、第１３の伝送装置１０２Ｃからのパス障害を検出した場合、現用パス１０５Ａから予備パス１０５Ｂに切替える。そして、第１４の伝送装置１０２Ｄは、第１２の伝送装置１０２Ｂから予備パス１０５Ｂ経由で受信した光信号を第１２の光分合波部１０４Ｂに出力する。
【００１０】
また、第１１の伝送装置１０２Ａは、現用パス１０５Ａのパス障害を検出した場合、パス障害を第１の制御装置１０３Ａに通知する。第１の制御装置１０３Ａは、第１１の伝送装置１０２Ａからパス障害を検出した場合、第１１の伝送装置１０２Ａに対して、第１１のＣＬ装置１０１Ａに中継する際のレーザーをＯＦＦに設定する。更に、第１の制御装置１０３Ａは、第１１の伝送装置１０２Ａからパス障害を検出した場合、第１２の伝送装置１０２Ｂに対して、第１１のＣＬ装置１０１Ａに中継する際のレーザーをＯＮに設定する。つまり、第１の制御装置１０３Ａは、第１１の伝送装置１０２Ａからのパス障害を検出した場合、現用パス１０５Ａから予備パス１０５Ｂに切替える。そして、第１２の伝送装置１０２Ｂは、第１４の伝送装置１０２Ｄから予備パス１０５Ｂ経由で受信した光信号を第１１の光分合波部１０４Ａに出力する。
【００１１】
その結果、第１１のＣＬ装置１０１Ａは、現用パス１０５Ａから予備パス１０５Ｂに切替える。そして、第１２のＣＬ装置１０１Ｂは、第１２の光分合波部１０４Ｂ→第１４の伝送装置１０２Ｄ→予備パス１０５Ｂ→第１２の伝送装置１０２Ｂ→第１１の光分合波部１０４Ａを経由して第１１のＣＬ装置１０１Ａに光信号を伝送する。
【先行技術文献】
【特許文献】
【００１２】
【特許文献１】特開２０１４−０９３５５８号公報
【発明の概要】
【発明が解決しようとする課題】
【００１３】
伝送システム１００では、例えば、第１１の伝送装置１０２Ａ、第１２の伝送装置１０２Ｂ及び第１の制御装置１０３Ａをネットワーク装置１１０Ａ内に内蔵し、第１の制御装置１０３Ａで第１１の伝送装置１０２Ａ及び第１２の伝送装置１０２Ｂを集中管理する。そして、ネットワーク装置１１０Ａでは、第１の制御装置１０３Ａで第１の伝送装置１０２Ａ及び第２の伝送装置１０２Ｂを制御するため、現用パス１０５Ａで障害を検出した場合でも、現用パス１０５Ａから予備パス１０５Ｂへの高速切替を実現できる。
【００１４】
しかしながら、近年、クラウド技術を中心としたネットワークへの変革が進み、対応製品の需要が高まっている。そこで、ネットワーク装置では、オープンインタフェース(ＳＤＮ：Software  Defined  Network)を導入し、分散したネットワーク装置を集中管理するという需要が高まっている。今後のネットワーク装置は、複数の伝送装置を集中管理する制御装置１０３Ａ（１０３Ｂ）を内蔵しない小型のネットワーク装置が主流となる。しかしながら、小型のネットワーク装置では、伝送装置を集中管理する制御装置、すなわち、伝送装置間で情報を相互に交換する制御装置を内蔵していないため、現用パスから予備パスへの高速切替を規定時間内に実現するのは困難である。
【００１５】
一つの側面では、現用パスから予備パスへの高速切替を実現できる伝送システム、通信装置及びパス切替方法を提供することを目的とする。
【課題を解決するための手段】
【００１６】
一つの案の伝送システムは、第１の伝送装置と、第２の伝送装置と、通信装置とを有する。前記第１の伝送装置は、現用パスと接続され、現用パスからの信号を受信する。前記第２の伝送装置は、現用パスと冗長化構成の予備パスと接続され、予備パスからの信号を受信する。前記通信装置は、前記第１の伝送装置及び前記第２の伝送装置と接続される。前記通信装置は、前記第１の伝送装置から切替情報を検出した場合に、第１の切替通知情報を前記第１の伝送装置に通知すると共に、第２の切替通知情報を前記第２の伝送装置に通知する。前記第１の伝送装置は、前記通信装置からの前記第１の切替通知情報に基づき、前記現用パスから受信した信号の前記通信装置に対する中継を停止する。前記第２の伝送装置は、前記通信装置からの前記第２の切替通知情報に基づき、前記予備パスから受信した信号の前記通信装置に対する中継を開始する。
【発明の効果】
【００１７】
一つの側面では、現用パスから予備パスへの高速切替を実現できる。
【図面の簡単な説明】
【００１８】
【図１】図１は、本実施例の伝送システムの一例を示す説明図である。
【図２】図２は、第１の伝送装置の一例を示す説明図である。
【図３】図３は、状態管理テーブルのテーブル構成の一例を示す説明図である。
【図４】図４は、ＯＴＵフレームのフォーマット構成の一例を示す説明図である。
【図５】図５は、パス切替処理に関わる伝送装置内のＣＰＵの処理動作の一例を示すフローチャートである。
【図６】図６は、パス切替処理に関わる伝送装置内のＣＰＵの処理動作の一例を示すフローチャートである。
【図７】図７は、パス切替処理に関わる伝送装置内のＣＰＵの処理動作の一例を示すフローチャートである。
【図８】図８は、ＯＤＵフレームのフォーマット構成の一例を示す説明図である。
【図９】図９は、伝送システムの一例を示す説明図である。
【発明を実施するための形態】
【００１９】
以下、図面に基づいて、本願の開示する伝送システム、通信装置及びパス切替方法の実施例を詳細に説明する。尚、本実施例により、開示技術が限定されるものではない。また、以下に示す各実施例は、矛盾を起こさない範囲で適宜組み合わせても良い。
【実施例】
【００２０】
図１は、本実施例の伝送システム１の一例を示す説明図である。図１に示す伝送システム１は、第１のＣＬ装置２Ａと、第１の伝送装置３Ａと、第２の伝送装置３Ｂと、第１の光分合波部４Ａとを有する。伝送システム１は、第２のＣＬ装置２Ｂと、第３の伝送装置３Ｃと、第４の伝送装置３Ｄと、第２の光分合波部４Ｂとを有する。第１のＣＬ装置２Ａと第２のＣＬ装置２Ｂとの間は、ＯＴＮ５のパス、例えば、プロテクション方式の現用パス５Ａ及び予備パス５Ｂで接続する。第１の伝送装置３Ａ及び第２の伝送装置３Ｂは、従来のように、第１の伝送装置３Ａ及び第２の伝送装置３Ｂを共通に制御する制御装置を内蔵しない小型のネットワーク装置である。また、第３の伝送装置３Ｃ及び第４の伝送装置３Ｄは、従来のように、第３の伝送装置３Ｃ及び第４の伝送装置３Ｄを共通に制御する制御装置を内蔵しない小型のネットワーク装置である。
【００２１】
第１の伝送装置３Ａは、ＯＴＮ５で第３の伝送装置３Ｃと接続し、第２の伝送装置３Ｂは、ＯＴＮ５で第４の伝送装置３Ｄと接続する。第１の伝送装置３Ａと第３の伝送装置３Ｃとの間は現用パス５Ａ、第２の伝送装置３Ｂと第４の伝送装置３Ｄとの間は予備パス５Ｂに設定している。
【００２２】
第１の光分合波部４Ａは、第１のＣＬ装置２Ａと、第１の伝送装置３Ａと、第２の伝送装置３Ｂとの間をＹケーブルで接続し、第１のＣＬ装置２Ａからの光信号を第１の伝送装置３Ａ及び第２の伝送装置３Ｂに光分岐する。第１の光分合波部４Ａは、第１の伝送装置３Ａ又は第２の伝送装置３Ｂからの光信号を第１のＣＬ装置２Ａに出力する。
【００２３】
第２の光分合波部４Ｂは、第２のＣＬ装置２Ｂと、第３の伝送装置３Ｃと、第４の伝送装置３Ｄとの間をＹケーブルで接続し、第２のＣＬ装置２Ｂからの光信号を第３の伝送装置３Ｃ及び第４の伝送装置３Ｄに光分岐する。第２の光分合波部４Ｂは、第３の伝送装置３Ｃ又は第４の伝送装置３Ｄからの光信号を第２のＣＬ装置２Ｂに出力する。
【００２４】
尚、第１のＣＬ装置２Ａ、第２のＣＬ装置２Ｂ、第１の伝送装置３Ａ、第２の伝送装置３Ｂ、第３の伝送装置３Ｃ及び第４の伝送装置３Ｄは同一の構成である。図２は、第１の伝送装置３Ａの一例を示す説明図である。尚、説明の便宜上、図２では、伝送装置として第１の伝送装置３Ａを例示して説明する。しかしながら、第１のＣＬ装置２Ａ、第２のＣＬ装置２Ｂ、第２の伝送装置３Ｂ、第３の伝送装置３Ｃ及び第４の伝送装置３Ｄも第１の伝送装置３Ａと同一の構成であるため、同一符号を付すことで、その重複する構成及び動作の説明については省略する。
【００２５】
図２に示す第１の伝送装置３Ａは、ＩＦ（Interface）１１と、ＣＰＵ(Central  Processing  Unit)１２とを有する。ＩＦ１１は、例えば、ＯＴＮ５上の現用パス５Ａと接続する第１のＩＦ１１Ａと、第１のＣＬ装置２Ａと接続する第２のＩＦ１１Ｂとを有する。第１のＩＦ１１Ａは、光通信部２１と、ＯＴＮフレーマ２２と、検出部２３と、情報受信部２４と、情報送信部２５と、ＩＦ通信部２６とを有する。光通信部２１は、現用パス５Ａとの間で光信号を送受信する、図示せぬレーザー及びフォトダイオード等を有する。光通信部２１は、受光した光信号を電気信号に変換するフォトダイオードを内蔵している。ＯＴＮフレーマ２２は、電気信号にＯＴＮフレーム処理を実行する。ＯＴＮフレーマ２２は、電気信号をフレーム分解する。検出部２３は、電気信号からアラーム情報を検出する。尚、アラーム情報は、例えば、パス障害発生等を報知するアラーム情報である。情報受信部２４は、電気信号からレーザー情報を抽出する。尚、レーザー情報は、現用パス５Ａ及び予備パス５ＢのレーザーＯＮ／ＯＦＦの運用状況を示す通知情報である。ＩＦ通信部２６は、第２のＩＦ１１Ｂとの間の通信を司る通信部である。
【００２６】
情報送信部２５は、ＩＦ通信部２６からの電気信号にレーザー情報を付加して送信する。ＯＴＮフレーマ２２は、電気信号をＯＴＮフレームに組み立て、そのＯＴＮフレームを光通信部２１に出力する。光通信部２１は、ＯＴＮフレームを光変換するレーザーを有し、光変換したＯＴＮフレームの光信号を現用パス５Ａに出力する。
【００２７】
第２のＩＦ１１Ｂは、光通信部２１と、ＯＴＮフレーマ２２と、検出部２３と、情報受信部２４と、情報送信部２５と、ＩＦ通信部２６とを有する。光通信部２１は、第１のＣＬ装置２Ａとの間で光信号を送受信する、図示せぬレーザー及びフォトダイオード等を有する。尚、第１の伝送装置３Ａは、第１のＩＦ１１Ａを現用パス５Ａと接続し、第２のＩＦ１１Ｂを第１の光分合波部４Ａと接続した。図２に示す第１の伝送装置３Ａを第２の伝送装置３Ｂとした場合、第１のＩＦ１１Ａを予備パス５Ｂと接続し、第２のＩＦ１１Ｂを第１の光分合波部４Ａと接続する。また、図２に示す第１の伝送装置３Ａを第３の伝送装置３Ｃとした場合、第１のＩＦ１１Ａを現用パス５Ａと接続し、第２のＩＦ１１Ｂを第２の光分合波部４Ｂと接続する。また、図２に示す第１の伝送装置３Ａを第４の伝送装置３Ｄとした場合、第１のＩＦ１１Ａを予備パス５Ｂと接続し、第２のＩＦ１１Ｂを第２の光分合波部４Ｂと接続する。
【００２８】
ＣＰＵ１２は、第１の伝送装置３Ａ全体を制御する。ＣＰＵ１２は、設定管理部３１と、状態管理部３２と、制御部３３とを有する。設定管理部３１は、設定テーブル３４を有する。設定テーブル３４は、自装置がＣＬ装置（第１のＣＬ装置２Ａ）、現用パス５Ａの伝送装置（第１の伝送装置３Ａ）、予備パス５Ｂの伝送装置（第２の伝送装置３Ｂ）の何れの装置であるかを管理するテーブルである。制御部３３は、状態管理テーブル３５を有する。制御部３３は、第１の伝送装置３Ａ全体を制御する。状態管理テーブル３５は、現用パス５Ａ及び予備パス５Ｂから受信した信号をＣＬ装置（第１のＣＬ装置２Ａ）に中継する際に使用するレーザーのＯＮ／ＯＦＦ状態を示すレーザー情報を管理するテーブルである。図３は、状態管理テーブル３５の一例を示す説明図である。図３に示す状態管理テーブル３５は、現用レーザー及び予備レーザーのＯＮ／ＯＦＦ情報を管理する。光通信部２１内の現用レーザーは、現用パス５Ａからの信号を第１のＣＬ装置２Ａに中継する際に使用するレーザーである。光通信部２１内の予備レーザーは、予備パス５Ｂからの信号を第１のＣＬ装置２Ａに中継する際に使用するレーザーである。
【００２９】
状態管理部３２は、アラーム情報に基づき、現在の運用状況を管理する。制御部３３は、受信レーザー情報に基づき、光通信部２１内の現用レーザー及び予備レーザーを制御する。
【００３０】
第１のＣＬ装置２Ａの制御部３３は、状態管理テーブル３５の他に、第１の制御部３３Ａと、第２の制御部３３Ｂとを有する。第１の制御部３３Ａは、例えば、第１の伝送装置３Ａからのパス切替要求（パス障害）を検出した場合、第１の伝送装置３Ａ内の光通信部２１内のレーザーを駆動制御する受信レーザー情報を第１の伝送装置３Ａに通知する。その結果、第１の伝送装置３Ａ内の制御部３３は、受信レーザー情報に基づき、光通信部２１内のレーザーを駆動制御する。第２の制御部３３Ｂは、パス切替要求（パス障害）を検出した場合、第２の伝送装置内３Ｂ内の光通信部２１内のレーザーを駆動制御する受信レーザー情報を第２の伝送装置３Ｂに通知する。その結果、第２の伝送装置３Ｂ内の制御部３３は、受信レーザー情報に基づき、光通信部２１内のレーザーを駆動制御する。
【００３１】
第２のＣＬ装置３Ｂの制御部３３も、状態管理テーブル３５の他に、第１の制御部３３Ａと、第２の制御部３３Ｂとを有する。第１の制御部３３Ａは、例えば、第３の伝送装置３Ｃからのパス切替要求（パス障害）を検出した場合、第３の伝送装置３Ｃの光通信部２１内のレーザーを駆動制御する受信レーザー情報を第３の伝送装置３Ｃに通知する。その結果、第３の伝送装置３Ｃ内の制御部３３は、受信レーザー情報に基づき、光通信部２１内のレーザーを駆動制御する。第２の制御部３３Ｂは、パス切替要求（パス障害）を検出した場合、第４の伝送装置内３Ｄの光通信部２１内のレーザーを駆動制御する受信レーザー情報を第４の伝送装置３Ｄに通知する。その結果、第４の伝送装置３Ｄ内の制御部３３は、受信レーザー情報に基づき、光通信部２１内のレーザーを駆動制御する。
【００３２】
図４は、ＯＴＵフレームのフォーマット構成の一例を示す説明図である。図４に示すＯＴＵ３０は、ＯＨ領域３１と、ペイロード領域３２と、ＦＥＣ領域３３とを有する。ＯＨ領域３１は、１列目〜１６列目の１６バイト×４行のフレームサイズである。ペイロード領域３２は、１７列目〜３８２４列目の３８０８バイト×４行のフレームサイズである。ＦＥＣ領域３３は、３８２５列目〜４０８０列目の２５６バイト×４行のフレームサイズである。
【００３３】
ＯＨ領域３１には、１行目の１列目〜７列目のフレーム同期ＯＨ（Frame  Alignment  OH）と、１行目の８列目〜１４列目のＯＴＵＯＨと、２行目〜４行目の１列目〜１４列目のＯＤＵＯＨと、１行目〜４行目の１５列目〜１６列目のＯＰＵＯＨとを有する。ＯＴＵＯＨは、ＯＴＵのＯＨ領域である。ＯＤＵＯＨは、ＯＤＵのＯＨ領域である。ＯＰＵＯＨは、ＯＰＵのＯＨ領域である。
【００３４】
フレーム同期ＯＨは、ＦＡＳ(Frame  Alignment  Signal)と、ＭＦＡＳ（Multi  Frame  Alignment  Signal）とを有する。ＦＡＳは、フレーム同期信号である。ＭＦＡＳは、マルチフレームの同期を検出するマルチフレーム同期信号である。ＯＴＵＯＨは、ＳＭ(Section  Monitoring)と、ＧＣＣ(General  Communication  Chanel)０と、ＲＥＳ(Reserved  for  future  international  standardization)とを有する。ＳＭは、ＯＴＵ終端点同士のモニタ状態を示す情報である。ＧＣＣ０は、ＯＴＵ終端点同士の通信チャネルをサポートするための情報である。
【００３５】
ＲＥＳは、２ビット構成であるため、その内の２ビットに受信レーザー情報、例えば、現用パス５Ａで使用するレーザー（Ｗ）のＯＮ／ＯＦＦ及び予備パス５Ｂで使用するレーザー（Ｐ）のＯＮ／ＯＦＦを設定する。
【００３６】
通常、第１の伝送装置３Ａは、現用パス５Ａを運用中にし、現用パス５Ａから受信した信号を第１のＣＬ装置２Ａに中継する際に使用するレーザーをＯＮに設定する。これに対して、第２の伝送装置３Ｂは、予備パス５Ｂを待機中にし、予備パス５Ｂから受信した信号を第１のＣＬ装置２Ａに中継する際に使用するレーザーをＯＦＦに設定する。また、第３の伝送装置３Ｃは、現用パス５Ａを運用中にし、現用パス５Ａから受信した信号を第２のＣＬ装置２Ｂに中継する際に使用するレーザーをＯＮに設定する。これに対して、第４の伝送装置３Ｄは、予備パス５Ｂを待機中にし、予備パス５Ｂから受信した信号を第２のＣＬ装置２Ｂに中継する際に使用するレーザーをＯＦＦに設定する。
【００３７】
また、第１の伝送装置３Ａは、例えば、現用パス５Ａでの障害を検出した場合、現用パス５Ａを待機中にし、現用パス５Ａから受信した信号を第１のＣＬ装置２Ａに中継する際に使用するレーザーをＯＦＦに設定する。第２の伝送装置３Ｂは、例えば、現用パス５Ａでの障害を検出した場合、予備パス５Ｂを運用中にし、予備パス５Ｂから受信した信号を第１のＣＬ装置２Ａに中継する際に使用するレーザーをＯＮに設定する。また、第３の伝送装置３Ｃは、例えば、現用パス５Ａでの障害を検出した場合、現用パス５Ａを待機中にし、現用パス５Ａから受信した信号を第２のＣＬ装置２Ｂに中継する際に使用するレーザーをＯＦＦに設定する。第４の伝送装置３Ｄは、例えば、現用パス５Ａでの障害を検出した場合、予備パス５Ｂを運用中にし、予備パス５Ｂから受信した信号を第２のＣＬ装置２Ｂに中継する際に使用するレーザーをＯＮに設定する。
【００３８】
次に本実施例の伝送システム１の動作について説明する。図５は、パス切替処理に関わる伝送装置１０内のＣＰＵ１２の処理動作の一例を示すフローチャートである。伝送装置１０は、例えば、第１の伝送装置３Ａ、第２の伝送装置３Ｂ及び第１のＣＬ装置２Ａの何れかとする。
【００３９】
図５において伝送装置１０内のＣＰＵ１２内の設定管理部３１は、設定テーブル３４内の設定情報を取得し（ステップＳ１１）、設定情報に基づき、自装置が第１のＣＬ装置２Ａであるか否かを判定する（ステップＳ１２）。ＣＰＵ１２内の制御部３３は、自装置が第１のＣＬ装置２Ａの場合（ステップＳ１２肯定）、受信レーザー情報があるか否かを判定する（ステップＳ１３）。尚、受信レーザー情報は、他の伝送装置１０、例えば、第１の伝送装置３Ａ又は第２の伝送装置３Ｂから受信したレーザー情報である。
【００４０】
制御部３３は、受信レーザー情報がない場合（ステップＳ１３否定）、初期状態と判断し、状態管理テーブル３５内のレーザー情報を更新する（ステップＳ１４）。尚、レーザー情報は、現用レーザーＯＮ及び予備レーザーＯＦＦである。更に、制御部３３は、レーザー情報を更新した後、更新後のレーザー情報を現用パス５Ａの伝送装置（第１の伝送装置３Ａ）及び予備パス５Ｂの伝送装置（第２の伝送装置３Ｂ）に通知する（ステップＳ１５）。そして、制御部３３は、受信レーザー情報があるか否かを判定すべく、ステップＳ１３に移行する。
【００４１】
制御部３３は、受信レーザー情報がある場合（ステップＳ１３肯定）、受信レーザー情報が現用レーザーＯＦＦ及び予備レーザーＯＦＦであるか否かを判定する（ステップＳ１６）。制御部３３は、受信レーザー情報が現用レーザーＯＦＦ及び予備レーザーＯＦＦの場合（ステップＳ１６肯定）、状態管理テーブル３５内にレーザー情報を更新する（ステップＳ１７）。制御部３３は、更新後のレーザー情報を現用パス５Ａの伝送装置（第１の伝送装置３Ａ）及び予備パス５Ｂの伝送装置（第２の伝送装置３Ｂ）に通知すべく、ステップＳ１５に移行する。尚、更新前の状態管理テーブル３５内のレーザー情報が現用レーザーＯＮ及び予備レーザーＯＦＦの場合、状態管理テーブル３５内のレーザー情報を現用レーザーＯＦＦ及び予備レーザーＯＮへ更新する。更新前の状態管理テーブル３５内のレーザー情報が現用レーザーＯＦＦ及び予備レーザーＯＮの場合、状態管理テーブル３５内のレーザー情報を現用レーザーＯＮ及び予備レーザーＯＦＦへ更新する。
【００４２】
制御部３３は、受信レーザー情報が現用レーザーＯＦＦ及び予備レーザーＯＦＦでない場合（ステップＳ１６否定）、受信レーザー情報が現用レーザーＯＮ及び予備レーザーＯＦＦ、若しくは現用レーザーＯＦＦ及び予備レーザーＯＮと判断し（ステップＳ１８）、状態管理テーブル３５内のレーザー情報を更新し（ステップＳ１９）、レーザー情報を第１の伝送装置３Ａ及び第２の伝送装置３Ｂに通知すべく、ステップＳ１５に移行する。尚、受信レーザー情報が現用レーザーＯＮ及び予備レーザーＯＦＦの場合、更新するレーザー情報は、現用レーザーＯＮ及び予備レーザーＯＦＦである。受信レーザー情報が現用レーザーＯＦＦ及び予備レーザーＯＮの場合、更新するレーザー情報は、現用レーザーＯＦＦ及び予備レーザーＯＮである。
【００４３】
設定管理部３１は、自装置が第１のＣＬ装置２Ａでない場合（ステップＳ１２否定）、設定情報に基づき、自装置が現用パス５Ａの伝送装置（第１の伝送装置３Ａ）であるか否かを判定する（ステップＳ２０）。設定管理部３１は、自装置が第１の伝送装置３Ａである場合（ステップＳ２０肯定）、図６に示すＭ１に移行する。設定管理部３１は、自装置が第１の伝送装置３Ａでない場合（ステップＳ２０否定）、自装置が予備パス５Ｂの伝送装置（第２の伝送装置３Ｂ）であるか否かを判定する（ステップＳ２１）。
【００４４】
設定管理部３１は、自装置が第２の伝送装置３Ｂでない場合（ステップＳ２１否定）、自装置が第１のＣＬ装置２Ａであるか否かを判定すべく、ステップＳ１２に移行する。設定管理部３１は、自装置が第２の伝送装置３Ｂである場合（ステップＳ２１肯定）、図７に示すＭ２に移行する。
【００４５】
図６に示すＭ１において制御部３３は、自装置が第１の伝送装置３Ａの場合（ステップＳ２０肯定）、第１のＣＬ装置２Ａからの受信レーザー情報があるか否かを判定する（ステップＳ３１）。ＣＰＵ１２内の状態管理部３２は、受信レーザー情報がない場合（ステップＳ３１否定）、現用パス５Ａのアラーム情報を確認し（ステップＳ３２）、アラーム情報に基づき、自装置と接続する現用パス５Ａが障害であるか否かを判定する（ステップＳ３３）。
【００４６】
制御部３３は、現用パス５Ａが障害でない場合（ステップＳ３３否定）、状態管理テーブル３５内のレーザー情報を更新する（ステップＳ３４）。尚、レーザー情報は、現用レーザーＯＮ及び予備レーザーＯＦＦである。制御部３３は、レーザー情報を更新した後、更新したレーザー情報を第１のＣＬ装置２Ａに通知する（ステップＳ３５）。更に、制御部３３は、現用パス５Ａから受信した信号を第１のＣＬ装置２Ａに中継する際に使用する光通信部２１内のレーザーをＯＮに設定し（ステップＳ３６）、図６に示す処理動作を終了する。
【００４７】
状態管理部３２は、アラーム情報に基づき、現用パス５Ａが障害の場合（ステップＳ３３肯定）、状態管理テーブル３５内のレーザー情報を更新し（ステップＳ３７）、更新したレーザー情報を第２のＣＬ装置２Ｂに通知すべく、ステップＳ３５に移行する。尚、更新するレーザー情報は、現用レーザーＯＦＦ及び予備レーザーＯＦＦである。
【００４８】
制御部３３は、受信レーザー情報がある場合（ステップＳ３１肯定）、受信レーザー情報が現用レーザーＯＮであるか否かを判定する（ステップＳ３８）。状態管理部３２は、受信レーザー情報が現用レーザーＯＮの場合（ステップＳ３８肯定）、現用パス５Ａのアラーム情報を確認すべく、ステップＳ３２に移行する。
【００４９】
制御部３３は、受信レーザー情報が現用レーザーＯＮでない場合（ステップＳ３８否定）、現用レーザーＯＦＦと判断する（ステップＳ３９）。更に、制御部３３は、現用パス５Ａから受信した信号を第１のＣＬ装置２Ａに中継する際に使用する光通信部２１内のレーザーをＯＦＦに設定し（ステップＳ４０）、受信レーザー情報があるか否かを判定すべく、ステップＳ３１に移行する。
【００５０】
図７に示すＭ２において設定管理部３１は、自装置が第２の伝送装置３Ｂの場合（ステップＳ２１肯定）、第１のＣＬ装置２Ａからの受信レーザー情報があるか否かを判定する（ステップＳ４１）。制御部３３は、受信レーザー情報がない場合（ステップＳ４１否定）、予備パス５Ｂから受信した信号を第１のＣＬ装置２Ａに中継する際に使用する光通信部２１内のレーザーをＯＦＦに設定する（ステップＳ４２）。更に、制御部３３は、受信レーザー情報があるか否かを判定すべく、ステップＳ４１に移行する。
【００５１】
制御部３３は、受信レーザー情報がある場合（ステップＳ４１肯定）、受信レーザー情報が現用レーザーＯＮであるか否かを判定する（ステップＳ４３）。制御部３３は、受信レーザー情報が現用レーザーＯＮでない場合（ステップＳ４３否定）、受信レーザー情報が現用レーザーＯＦＦと判断する（ステップＳ４４）。更に、制御部３３は、予備パス５Ｂから受信した信号を第１のＣＬ装置２Ａに中継する際に使用するレーザーをＯＦＦに設定すべく、ステップＳ４２に移行する。
【００５２】
状態管理部３２は、受信レーザー情報が現用レーザーＯＮの場合（ステップＳ４３肯定）、予備パス５Ｂのアラーム情報を確認し（ステップＳ４５）、アラーム情報に基づき、予備パス５Ｂが障害であるか否かを判定する（ステップＳ４６）。
【００５３】
制御部３３は、予備パス５Ｂが障害でない場合（ステップＳ４６否定）、状態管理テーブル３５内のレーザー情報を更新する（ステップＳ４７）。尚、レーザー情報は、現用レーザーＯＦＦ及び予備レーザーＯＮになる。制御部３３は、レーザー情報を更新した後、更新したレーザー情報を第１のＣＬ装置２Ａに通知する（ステップＳ４８）。更に、制御部３３は、予備パス５Ｂから受信した信号を第１のＣＬ装置２Ａに中継する際に使用する光通信部２１内のレーザーをＯＮに設定し（ステップＳ４９）、図７に示す処理動作を終了する。
【００５４】
状態管理部３２は、アラーム情報に基づき、予備パス５Ｂが障害の場合（ステップＳ４６肯定）、状態管理テーブル３５内のレーザー情報を更新し（ステップＳ５０）、更新したレーザー情報を第１のＣＬ装置２Ａに通知すべく、ステップＳ４８に移行する。尚、更新するレーザー情報は、現用レーザーＯＦＦ及び予備レーザーＯＦＦである。
【００５５】
パス切替処理を実行する第１のＣＬ装置２Ａは、受信レーザー情報が現用レーザーＯＦＦ及び予備レーザーＯＦＦの場合、現用レーザーＯＦＦ及び予備レーザーＯＮのレーザー情報を第１の伝送装置３Ａ及び第２の伝送装置３Ｂに通知する。第１の伝送装置３Ａは、第１のＣＬ装置２Ａから現用レーザーＯＦＦの受信レーザー情報を受信した場合、現用パス５Ａから受信した信号を第１のＣＬ装置２Ａに中継する際に使用する光通信部２１のレーザーをＯＦＦにする。更に、第２の伝送装置３Ｂは、第１のＣＬ装置２Ａから予備レーザーＯＮの受信レーザー情報を受信した場合、予備パス５Ｂから受信した信号を第１のＣＬ装置２Ａに中継する際に使用する光通信部２１のレーザーをＯＮにする。その結果、制御装置を内蔵しない小型のネットワーク装置であっても、現用パス５Ａから予備パス５Ｂへの高速切替を規定時間内に実現できる。
【００５６】
実施例の第１のＣＬ装置２Ａは、受信レーザー情報が現用レーザーＯＦＦ及び予備レーザーＯＦＦの場合、現用レーザーＯＦＦ及び予備レーザーＯＮのレーザー情報を第１の伝送装置３Ａ及び第２の伝送装置３Ｂに通知する。第１の伝送装置３Ａは、第１のＣＬ装置２Ａから現用レーザーＯＦＦの受信レーザー情報を受信した場合、現用パス５Ａから受信した信号を第１のＣＬ装置２Ａに中継する際に使用する光通信部２１のレーザーをＯＦＦにする。更に、第２の伝送装置３Ｂは、第１のＣＬ装置２Ａから予備レーザーＯＮの受信レーザー情報を受信した場合、予備パス５Ｂから受信した信号を第１のＣＬ装置２Ａに中継する際に使用する光通信部２１のレーザーをＯＮにする。その結果、制御装置を内蔵しない小型のネットワーク装置、すなわち第１の伝送装置３Ａ及び第２の伝送装置３Ｂ間で情報を相互に交換する制御装置がなくても、現用パス５Ａから予備パス５Ｂへの高速切替を規定時間内に実現できる。
【００５７】
第２のＣＬ装置２Ｂは、受信レーザー情報が現用レーザーＯＦＦ及び予備レーザーＯＦＦの場合、現用レーザーＯＦＦ及び予備レーザーＯＮのレーザー情報を第３の伝送装置３Ｃ及び第４の伝送装置３Ｄに通知する。第３の伝送装置３Ｃは、第２のＣＬ装置２Ｂから現用レーザーＯＦＦの受信レーザー情報を受信した場合、現用パス５Ａから受信した信号を第１のＣＬ装置２Ａに中継する際に使用する光通信部２１のレーザーをＯＦＦにする。更に、第４の伝送装置３Ｄは、第２のＣＬ装置２Ｂから予備レーザーＯＮの受信レーザー情報を受信した場合、予備パス５Ｂから受信した信号を第１のＣＬ装置２Ａに中継する際に使用する光通信部２１のレーザーをＯＮにする。その結果、第３の伝送装置３Ｃ及び第４の伝送装置３Ｄ間で情報を相互に交換する制御装置がなくても、現用パス５Ａから予備パス５Ｂへの高速切替を規定時間内に実現できる。
【００５８】
尚、上記実施例の第１のＣＬ装置２Ａでは、現用パス５Ａの障害時として現用レーザーＯＦＦ及び予備レーザーＯＦＦの受信レーザー情報を第１の伝送装置３Ａ及び第２の伝送装置３Ｂに例示した。しかしながら、第１のＣＬ装置２Ａでは、現用パス５Ａの障害に限定されるものではなく、通常の現用パス５Ａから予備パス５Ｂに切替える場合にも適用可能である。
【００５９】
また、図５乃至図７に示すパス切替処理では、ＣＬ装置として第１のＣＬ装置２Ａ、現用パス５Ａの伝送装置として第１の伝送装置３Ａ、予備パス５Ｂの伝送装置として第２の伝送装置３Ｂを例示した。しかしながら、ＣＬ装置として第２のＣＬ装置２Ｂ、現用パス５Ａの伝送装置として第３の伝送装置３Ｃ、予備パス５Ｂの伝送装置として第４の伝送装置３Ｄでも良い。
【００６０】
ＸＦＰ(１０  Gigabit  Small  Form  Factor  Pluggable)等の着脱可能なモジュールでは、ＭＳＡ(Multiple  Source  Agreement)に準拠している。従来では、インタフェース＃１、インタフェース＃２にＸＦＰ等の着脱可能なモジュールを実装し、現用装置で着脱可能なモジュールの故障検出を契機に切り替える場合は、故障を検出するまでに時間がかかるため、５０ｍ秒以内の高速切替ができない。例えば、ＸＦＰでは故障を検出する場合、ＭＳＡの規定では最大２００ｍ秒かかる。これに対して、本実施例では、第１の伝送装置３Ａでの着脱可能なモジュールの故障発生時でも、５０ｍ秒以内の高速切替が可能である。
【００６１】
着脱可能なモジュールで故障発生時は、着脱可能なモジュールの送信信号が不安定になる。第１のＣＬ装置２Ａにおいて、ＩＦ１１内の情報受信部２４でレーザー情報が受信できないため、第１の伝送装置３Ａの現用レーザーをＯＦＦ、第２の伝送装置３Ｂ側の予備レーザーをＯＦＦとするレーザー情報を制御部３３へ通知する。制御部３３は、現用レーザーＯＦＦ及び予備レーザーＯＦＦのため、現用レーザーＯＦＦ及び予備レーザーＯＮを示す受信レーザー情報を第１の伝送装置３Ａ及び第２の伝送装置３Ｂに通知する。そして、第１の伝送装置３Ａは、受信レーザー情報に基づき、現用レーザーをＯＦＦにし、第２の伝送装置３Ｂは、受信レーザー情報に基づき、予備レーザーをＯＮにし、現用パス５Ａから予備パス５Ｂに切替える。その結果、第１の伝送装置３Ａ及び第２の伝送装置３Ｂ間で情報を相互に交換する制御装置がなくても、Ｙケーブルの高速なプロテクションパスの切替を規定時間内に実現できる。
【００６２】
尚、上記実施例では、ＯＴＵのＯＴＵＯＨ内のＲＥＳに受信レーザー情報を付加したが、これに限定されるものではなく、ＯＤＵＯＨ内のＲＥＳに受信レーザー情報を付加しても良く。その場合の実施の形態につき、以下の通り説明する。図８は、ＯＤＵフレームのフォーマット構成の一例を示す説明図である。尚、図４に示すフォーマットと同一の構成には同一符号を付すことで、その重複する構成及び動作の説明については省略する。
【００６３】
図８のＯＨ領域３１には、１行目の１列目〜７列目のフレーム同期ＯＨ（Frame  Alignment  OH）と、１行目の８列目〜１４列目のＯＴＵＯＨと、２行目〜４行目の１列目〜１４列目のＯＤＵＯＨと、１行目〜４行目の１５列目〜１６列目のＯＰＵＯＨとを有する。ＯＴＵＯＨは、ＯＴＵのＯＨ領域である。ＯＤＵＯＨは、ＯＤＵのＯＨ領域である。ＯＰＵＯＨは、ＯＰＵのＯＨ領域である。
【００６４】
ＯＤＵＯＨは、２個のＲＥＳと、ＴＣＭＡＣＴ(Tandem  Connection  Monitoring  Activation)と、ＴＣＭ１〜６と、ＦＴＦＬ(Fault  Type  &  Fault  Location  reporting  channel)と、ＰＭ(Path  Monitoring)と、ＥＸＰ(Experimental)とを有する。更に、ＯＤＵＯＨは、ＧＣＣ１〜２と、ＡＰＳ(Automatic  Protection  Switching)／ＰＣＣ(Protection  Communication  Control  channel)とを有する。ＴＣＭＡＣＴは、タンデムコネクション監視をアクティブ状態にするか否かを識別する情報である。ＦＴＦＬは、故障タイプ及び故障位置を通知するための情報である。ＰＭは、パス状態を監視した情報である。ＥＸＰは、試験用であるか否かを識別する情報である。ＡＰＳ／ＰＣＣは、自動予備切替及び切替通信チャネルである。
【００６５】
ＲＥＳ＃１は、１６ビット構成であるため、その内の２ビットにレーザー情報、例えば、現用パスで使用するレーザーのＯＮ／ＯＦＦ及び予備パスで使用するレーザーのＯＮ／ＯＦＦを設定するものとする。尚、ＲＥＳ＃１の代わりにＲＥＳ＃２にレーザー情報を付加しても良い。また、受信レーザー情報は、ＲＥＳに限定されるものではなく、例えば、ＧＣＣ０、ＧＣＣ１及びＧＣＣ２に付加しても良い。
【００６６】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００６７】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【符号の説明】
【００６８】
１  伝送システム
２Ａ  第１のＣＬ装置
２Ｂ  第２のＣＬ装置
３Ａ  第１の伝送装置
３Ｂ  第２の伝送装置
３Ｃ  第３の伝送装置
３Ｄ  第４の伝送装置
５Ａ  現用パス
５Ｂ  予備パス
３３  制御部
３３Ａ  第１の制御部
３３Ｂ  第２の制御部
【図１】
0006743494.tif 000002
【図２】
0006743494.tif 000003
【図３】
0006743494.tif 000004
【図４】
0006743494.tif 000005
【図５】
0006743494.tif 000006
【図６】
0006743494.tif 000007
【図７】
0006743494.tif 000008
【図８】
0006743494.tif 000009
【図９】
0006743494.tif 000010